(57)【要約】【課題】平面鏡、凹面鏡又は凸面鏡に変化させることができる性能の優れた鏡を提供にする。【解決手段】曲率変化が可能な鏡面シート１を、気体や液体の流体を利用し、鏡面シート１には非接触の状態でこの鏡面シート１の曲率を変化させ、平面鏡、凹面鏡又は凸面鏡として使用することができることを特徴とする鏡。【選択図】  図１
2010183996.tif 000002
【特許請求の範囲】
【請求項１】
曲率変化が可能な鏡面シートと、該鏡面シートを気密又は液密状態で保持するケース本体とからなり、該ケース本体の気密又は液密状態の圧力を、前記鏡面シートとは非接触で操作して該鏡面の曲率を変化させることができる手段を組込んだことを特徴とする鏡。
【請求項２】
前記鏡面シートを操作する手段がシリンダー内で可動するピストン方式であることを特徴とする請求項1記載の鏡。
【請求項３】
前記ピストン方式におけるピストンの位置によって弁が開閉し、気密状態が大気圧と適宜同調することができる手段を組込んだことを特徴とする請求項２の鏡。
【請求項４】
それぞれ曲率変化が可能な鏡面シートと背面シートとを、間隔をおいて周縁部で保持しかつ両シート間を気密又は液密状態とした鏡本体とからなり、該鏡本体の気密又は液密状態の圧力を、前記鏡面シートとは非接触で操作して該鏡面の曲率を変化させることができる手段を背面シートに取付けたことを特徴とする鏡。
【請求項５】
弁の開閉によって気密状態が大気圧と適宜同調することができる手段を、前記周縁部に組込んだことを特徴とする請求項４の鏡。
【発明の詳細な説明】
【技術分野】
【０００１】
この発明は、髭剃り用、化粧用あるいは姿見等に使用する鏡に関するものである。
【背景技術】
【０００２】
従来より、髭剃り、化粧あるいは試着や着付け等を行なう場合、鏡が不可欠で種々の鏡が使用されている。これらの用途に用いる鏡としては、平面鏡が一般的であるが、凹面鏡や凸面鏡として使用することが必要な場合がある。
【０００３】
このために、鏡の両面を用い一方を平面鏡、他方を凹面鏡とし、目的に応じて反転させて使用する鏡が、古くからホテル等で用いられている。
【先行技術文献】
【特許文献】
【０００４】
【特許文献１】特開平１０−１６５２７３号公報
【特許文献２】実開平４−１６９６０号公報
【特許文献３】実開平４−１２５７６３号公報
【発明の概要】
【発明が解決しようとする課題】
【０００５】
前記３件の特許文献は、機械的に鏡面の曲率を変化させ、これによって平面鏡と凹面鏡、凸面鏡に可変させることができる鏡の提案をしている。
【０００６】
このうち特許文献１に開示された可変ミラーは、周縁部をフレームに支持された可撓性鏡面板の中央部を、スライドする軸とカムを組合わせた調節機構を操作ハンドルの回転により作動させ、平面鏡、凹面鏡、凸面鏡に切り替えるもので、手鏡等として用いられるものであり、また他の特許文献２及び３の鏡も、構造は異なるものの背面部に組込んだネジ機構により鏡面板の曲率を変化させて、同様な可変ミラーとするものである。
このようにシートや板状の鏡面材を用いてこの曲率を変化させる場合、鏡面板に直接力を加えると、力を加えた箇所とそうでない箇所との曲率の変化に微妙な差ができて鏡面が歪むおそれがあり、また機械的に曲率を変えるためある程度曲率の変化を段階的にせざるを得ない場合も生じ、任意の曲率が選びにくい面がある。
本発明はこのような状況に鑑み、気体や液体の流体を巧みに利用し、曲面が変化できる鏡面シートを、非接触の状態で変化させて平面鏡、凹面鏡又は凸面鏡として使用できる鏡を提供しようとするものである。
【課題を解決するための手段】
【０００７】
本発明は前記の如き状況に鑑み、その要旨とするところは、曲率変化が可能な鏡面シートと、該鏡面シートを気密又は液密状態で保持するケース本体とからなり、該ケース本体の気密又は液密状態の圧力を、前記鏡面シートとは非接触で操作して該鏡面の曲率を変化させることができる手段を組込んだことを特徴とする鏡に係るものでありまた本発明は、それぞれ曲率変化が可能な鏡面シートと背面シートとを、間隔をおいて周縁部で保持しかつ両シート間を気密又は液密状態とした鏡本体とからなり、該鏡本体の気密又は液密状態の圧力を、前記鏡面シートとは非接触で操作して該鏡面の曲率を変化させることができる手段を背面シートに取付けたことを特徴とする鏡に係るものである。
【発明の効果】
【０００８】
本発明は、前述の如き特徴を有するもので、気体や液体の流体を鏡面シートとケース本体あるいは鏡面シートと背面シートとによって気密又は液密状態となし、この気密又は液密状態の圧力を、鏡面シートとは非接触で操作して該鏡面の曲率を変化させることができるようにしたものであるから、鏡面シート全面にわたって曲面部の曲率を滑らかに変化させることができるので歪みがない鏡が提供でき、しかもその構造上平面、凹面及び凸面を所望の曲面に任意にかつ簡単に操作できる利点があり、なおかつ構造を簡潔にして軽量化を図ることができるものである。
【図面の簡単な説明】
【０００９】
【図１】本発明の第１の実施例を示す断面図である。
【図２】本発明の第２の実施例を示す断面図である。
【図３】本発明の第３の実施例を示す断面図である。
【図４】本発明の第４の実施例を示す断面図である。
【図５】図４における操作部分の主要部を示す部分断面図である。
【図６】図４における大気圧を適宜同調させるため手段を示す部分拡大断面図である。
【発明を実施するための形態】
【００１０】
以下本発明の実施の形態を図面に基づき説明する。
【００１１】
図1は本発明の第１の実施例を示すもので、図中１は鏡面シート、２はケース本体、３はケース本体の周縁部、４はケース本体２と鏡面の曲率を変化させる手段とを繋ぐもので空気を通すパイプ、５は周縁部３に設けた孔である。図のように本発明のケース本体２は、断面盆状をなしておりこの周縁部３を利用して鏡面シート１を気密又は液密状態に保持している。このとき鏡面シート１に弛みが生じないように、例えば円周方向に聴力をかけた状態で張り、周縁部３には凹凸嵌合部を設けてシートの周縁をここで挟み込むようにして固着することが有利である。
【００１２】
また曲面の曲率を変化させることができる手段としては、この図ではピストン方式の例を示しており、シリンダー６内を可動するピストン７からなっており、シリンダー６の先端側には前記パイプ４の反対端を嵌合させるキャップ部８が設けられ、前記ケース本体２と繋がっている。なお図中９は、ピストン７を所定位置で止めるための引掛け具であり、１０はピストン７に設けたＯリング、１１はピストン７の頭部である。
【００１３】
この例において鏡として使用するとき、定常の状態では図１の鏡面シート１が平面鏡となるよう平面状に設定しておいて、これを凹面鏡として使用するときは頭部１１を把持して矢印ｃを図において左方向に引いて左側の引掛け具９に係止させる。これによって、ケース本体２内の空気が吸引されて圧力が減じ、鏡面シート１は下側の点線位置ａに変化して凹面状に曲率を変え、凹面鏡として使うことができる。また逆に凸面鏡として使用するときは、シリンダー７の頭部１１を矢印ｃを右方向に押出して右側の引掛け具９に係止させる。このとき鏡面シート１は空気の圧力によって鏡面の曲率を図ｂのように上方に凸に変化させ所定の凸面鏡として使用することができることとなる。
【００１４】
以上のように構成された鏡は、流体すなわちこの場合空気を、鏡面シートとケース本体とによって気密状態となし、この気密状態の圧力を、ピストン方式によって変化させ、鏡面シート１に非接触で操作して曲率を変化させることができるから、鏡面シート１全面にわたって曲面部の曲率を滑らかに変化させることができるので歪みがない鏡が提供でき、しかもその構造上平面、凹面及び凸面を所望の曲率に任意にかつ簡単に操作できる利点があり、なおかつ構造を簡潔にして軽量化を図ることができるものである。
【００１５】
なお本発明に使用する曲率変化が可能な鏡面シート１としては、例えば厚さ      ５〜３０μｍ程度の透明ポリエステルフィルムの内側面に、アルミ蒸着による鏡面膜を設けたシートが使用できる。またケース本体２としては、合成樹脂や軽合金の成形品が使用でき、パイプ４としては柔軟な合成樹脂パイプが使用できる。
【００１６】
また鏡面の曲率を変化させる手段としてのピストン方式として、この例ではシリンダー６とピストン７からなる装置を用いているが、これらは鏡面シート１を所望の曲率に変化させうる量の空気を気密状態にできるように、金属あるいは合成樹脂によって製作した装置が使用しうる。
【００１７】
次の図２は、本発明の第２の実施例を示すもので、鏡及び鏡面の曲率を変化させる手段としてはピストン方式で基本的に第１の実施例と同様であるが、さらにピストンの位置によって弁が開閉して気密状態が大気圧と適宜同調することができる手段を組込んだことを特徴とするものである。
【００１８】
すなわち同図において、前記第１の実施例と同様、１が鏡面シート、２がケース本体、３が周縁部で、鏡部分の構成は第１図と同様に構成している。この図においてピストン方式を強調して表しているが、シリンダー６内にピストン７を嵌入させ、ピストン７の頭部１１を作用して空気をキャップ部８からパイプ４によってケース本体２に送出、吸引することでは図１の場合と共通で、さらにシリンダー６を延出して調整部１３を設けたものである。シリンダー６の先端側に延出された調整部１３には、小孔によって連通する２つの空間部１６、１７が設けられ、前者の空間１６は前記キャップ部８に繋がり、また後者の空間部１７は開口部１８に連通している。さらにシリンダー７の先端には棒材１２が延設されていて、空間部１７に埋入したボール１４に接離するようになっている。そしてこのボール１４はスプリング１５によってシリンダー７側の所定位置に止まるように付勢されている。
同図の状態では空間部１７の開口部１８とケース本体２の内部とが連通しているため、大気圧と同調している。すなわちこの状態では、鏡面シート１は平坦で平面鏡となっている。この鏡面シート１を凹面鏡として使用するときは、ピストン７を矢印ｃの左方向に引くことにより、ボール１４が左側に圧着して開口部１８と遮断することになり、所定の圧力でケース本体２の空気が減圧され、鏡面シート１はａのように凹面鏡となる。なお、このときのスプリング１５はボール１４がＯリング１０と密着した状態を保持するバネ力のあるものを用いる。
そして凸面鏡として使用するときは、この状態からピストン７をさらに左方向に引き込んで、少なくともシリンダー７のＯリング１０が空気孔１９を越えるようにすると、シリンダー６内は大気圧と同調することとなり、これと連通するケース本体２内も大気圧となって平面鏡に戻るが、この状態からピストン７を矢印ｃ右方向に押込んでいくと、ボール１４によって密閉されたシリンダー６内が加圧され、ケース本体２の鏡面シート１は図２のｃのように上方に凸となって凸面鏡として使用することができることとなる。
なお図示は省力したが、この例の場合にも必要に応じて図１のような引掛け具を使用して、変化させた所定の位置に固定して使用することができる。
【００１９】
このように構成すると、平面鏡の状態ではケース本体２の内部は、大気圧と同調しているので、気温等の変化で空気の上昇、下降による膨張収縮の影響を受けることがなく、したがって鏡面の平坦状態が保たれることとなる。
一般に鏡は平面鏡として使用することが多いので、この状態の平面状態が保たれることは有利であり、必要が生じた際に凹面鏡又は凸面鏡を選んで使うことになるので、その際にピストン式の手段により鏡面の曲率を変化させて用いると便利である。
【００２０】
図３は本発明の第３の実施例を示すもので、ほぼ図１に示す実施例のケース本体２の配置を変更した構成とし、平面鏡と凹面鏡とに使用できるようになっている。すなわちこの例の場合の鏡は、透明材料からなるケース本体２を用い、この内側に鏡面シート１を位置させ、周縁部３により気密又は水密状態とし、ケース本体２を通して鏡として使用するものである。
【００２１】
そしてケース本体２の孔５とシリンダー６の孔１９とをパイプ４で繋ぎ、ピストン７を矢印ｄ方向に押込んでいくとピストン７の先端はシリンダー６に設けた通気孔２０を越えて進んでいくが、徐々に空気の圧力は高まりパイプ４を経て空気が加圧されて鏡面シー１に作用してこの曲率大きくし、図のａのような凹面鏡の状態にして使用することができることとなる。
【００２２】
この例においては、図示した状態で示すように定常的には、空気孔２０によりケース本体２内部と大気圧が同調しているため、空気の膨張収縮で平面鏡に変化を与えることがなくなる。なお図中、９はピストン７の頭部１１を所定位置に止めるための引掛け具、１０はＯリングである。
またこの第３の実施例の場合、平面鏡と凹面鏡との変化だけになるが、通常の鏡においてはこれで十分な場合もあり、鏡部分の機構及びピストン方式の鏡面の曲率を変化させる手段も簡素化され、さらに軽量化が図れることとなる。また、鏡はケース本体２の透明材料によってカバーされているために傷が付いたりすることがなく、使用中に汚れた場合には容易に拭い去ることもでき、便利に使用できる。
【００２３】
次の図４ないし図６は本発明の第４の実施例を示すもので、請求項４及び５の実施態様に相当するものであり、平面鏡及び凹面鏡に変化させることができる鏡の例である。
図４において、ケース本体２にそれぞれ曲率変化が可能な鏡面シート１と背面シート２１とを所定の間隔をおいて、しかも周縁部３で気密又は水密状態に保持し鏡本体として用いるものである。このときの少なくとも鏡面シート1、できれば背面シート２１共に、弛みの生じないよう張力をかけて保持することが望ましい。そして、この背面シート２１の中心部には頭部が膨らんだ作動棒２２を固着し、この作動棒２２を矢印ｄ方向に引くことにより背面シート２２を下方に湾曲させて気密室の圧力を変化させ、これによって表面の鏡面シート１を同調させて下方に凹の曲面にし凹面鏡として使用できるようにするものである。
【００２４】
この例における気密又は水密状態の圧力を変化させることができる手段としては、図５に示すようなスライド部材２３をケース本体２底面に組込んで作動棒２２の出没を行なうものである。すなわち、このスライド部材２３は、断面略Ｌ型の枠材２４の一端に把持部２５、前記作動棒２２を貫通させる略へ字状で図の左方向に傾斜するスライド溝２７を設け、前記作動棒２２に対応する箇所には通過孔２８を設けている。また枠材２４の所定位置に設けた止め板２９には、スプリング２６の一端を固定し、この状態で図４の如く組込んで、把持部２５を把持して矢印ｅ方向にスライドできるようになっている。
【００２５】
またこの例では、図４及び図６に示すように、弁３０とその状態を維持するスプリング３１によって、弁の開閉による大気圧との同調ができるようになっている。
【００２６】
第４の実施例の鏡を使用する場合には、図４のように指先で把持部２５をつまんで矢印ｅの右方向に引くと、スライド溝２７に操作棒２２がその溝の案内により徐々に矢印ｄのように引かれ、背面シート２１が下方に凸の状態になる。すると鏡面シート１との空間は圧力が高まり、図６の弁３０がスプリング２６に抗して密封されながら、鏡面シート１は非接触で凹面鏡の状態を呈することとなる。したがって、この状態で凹面鏡として使用することができ、図４の元の状態にするには把持部２５を解除することにより、スライド部材を戻すことで、平面鏡として使用できることとなる。
【００２７】
この状態では、図６のように弁３０はスプリング３１により小空隙がある状態で保持されるため、ここから空気との連通がなされ大気圧と同調して空気の膨張収縮による影響を受けなくなる。
【００２８】
図４ないし図６で説明した第４の実施例は、平面鏡と凹面鏡とに変化させて使用するものであるが、スライド機構を改変させることで、さらに凸面鏡として使用することができる鏡とすることも可能であり、また平面鏡と凸面鏡との組み合わせの鏡としても使用することができるものである。
【００２９】
またこの場合のスライド機構を省略して、棒材２２を直接指で把持して出没させ背面シート２１の曲率を変化させるようにして用いることもできる。
【００３０】
以上本発明について図示の例に基づいて説明したが、本発明はこれらの実施例に限定されるものではなく、種々の改変が可能である。鏡面シート１の曲率を非接触で変化させる流体としては、前記の空気以外に他の気体あるいは液体を用いることも可能であり、特に液体を用いるときは、液体の密閉性などに配慮することが望ましい。
【符号の説明】
【００３１】
１      鏡面シート
２      ケース本体
３      周縁部
４      パイプ  
５      孔
６      シリンダー
７      ピストン
８      キャップ部
９      引掛け具
１０    Ｏリング
１１    頭部
１２    棒材
１３    調整部
１４    ボール
１５    スプリング
１６    空間部
１７    空間部
１８    開口部
１９    空気孔
２０    空気孔
２１    背面シート
２２    作動棒
２３    スライド部材
２４    枠材
２５    把持部
２６    スプリング
２７    スライド溝
２８    通過孔
２９    止め板
３０    弁
３１    スプリング
【図１】
2010183996.tif 000003
【図２】
2010183996.tif 000004
【図３】
2010183996.tif 000005
【図４】
2010183996.tif 000006
【図５】
2010183996.tif 000007
【図６】
2010183996.tif 000008